(57)【要約】  第１の通信端末装置用の第１のウェブ表示プログラムを、第２の通信端末装置用の第２のウェブ表示プログラムに変換するシステム。本発明のシステムは、第１のウェブ表示プログラムを複数のセグメントに分割し、各セグメントに含まれるタグに識別情報を付与し且つこれら識別情報をリスト化することによって作成されたセグメントリストを第１の記憶部に保存し、第１のウェブ表示プログラムに記述された表示設定を第２のウェブ表示プログラムの表示設定に変更するために前記セグメント毎に作成された変換条件を第２の記憶部に保存し、セグメントリスト及び変換条件を用いて第１のウェブ表示プログラムから第２のウェブ表示プログラムへの変換処理を実行させるための変換プログラムを第３の記憶部に保存する。セグメントリスト、変換条件及び変換プログラムは第２の通信端末装置に送られ、第２の通信端末装置装置によって変換処理が実行される。
2012120704.tif 000002
【特許請求の範囲】
【請求項１】
通信ネットワークに接続された変換情報サーバ装置を有するウェブ表示プログラム変換システムであって、
該変換情報サーバ装置が、
第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによって作成されたセグメントリストを保存する第１の記憶部と、
前記第１のウェブ表示プログラムに記述された表示設定を第２の通信端末装置でウェブ表示を行わせるため第２のウェブ表示プログラムの表示設定に変更するために、前記セグメント毎に作成された変換条件を保存する第２の記憶部と、
前記第２の通信装置に、前記セグメントリスト及び前記変換条件を用いて、前記第１のウェブ表示プログラムから前記第２のウェブ表示プログラムへの変換処理を実行させるための、変換プログラムを保存する第３の記憶部と、
前記セグメントリスト、前記変換条件及び前記変換プログラムを前記通信ネットワークに送信する送信部と、
を備えることを特徴とするウェブ表示プログラム変換システム。
【請求項２】
前記通信ネットワークに接続された表示情報サーバ装置を更に備え、
該表示情報サーバ装置が、
前記第１のウェブ表示プログラムを保存し、
前記第１、第２の通信端末装置からの要求に応じて、該第１のウェブ表示プログラムを送信する、
ことを特徴とする請求項１に記載のウェブ表示プログラム変換システム。
【請求項３】
前記変換表示情報サーバ装置は、前記第１、第２の通信端末装置で実行するための初期設定プログラムを保存する第４の記憶部を更に備え、
前記初期設定プログラムは、通信端末装置が前記第１の通信端末装置であるのか或いは前記第２の通信端末装置であるのかを判断して、該通信端末装置が該第２の通信端末装置であった場合にのみ前記変換処理を行うためのプログラムである、
ことを特徴とする請求項２に記載のウェブ表示プログラム変換システム。
【請求項４】
前記表示情報サーバ装置の前記情報送信部から送信される前記第１のウェブ表示プログラムが、前記第１、第２の通信端末装置に前記変換表示情報サーバ装置へアクセスさせて前記初期設定プログラムを取得させるためのタグを含むことを特徴とする請求項３に記載のウェブ表示プログラム変換システム。
【請求項５】
前記初期設定プログラムが、前記前記セグメントリスト、前記変換条件及び前記変換プログラムと共に前記送信部から前記第１、第２通信端末装置に送信されることを特徴とする請求項４に記載のウェブ表示プログラム変換システム。
【請求項６】
前記初期設定プログラムによって前記第２の通信端末装置であると判断された場合にのみ、前記前記セグメントリスト、前記変換条件及び前記変換プログラムが前記送信部から該第２通信端末装置に送信されることを特徴とする請求項４に記載のウェブ表示プログラム変換システム。
【請求項７】
前記変換情報サーバ装置は、
前記第１のウェブ表示プログラムを保存し、
前記第１、第２の通信端末装置からの要求に応じて、該第１のウェブ表示プログラムを送信する、
ことを特徴とする請求項１に記載のウェブ表示プログラム変換システム。
【請求項８】
前記変換情報サーバ装置は、前記第１、第２の通信端末装置で実行するための初期設定プログラムを更に保存し、
前記初期設定プログラムは、通信端末装置が前記第１の通信端末装置であるのか或いは前記第２の通信端末装置であるのかを判断して、該通信端末装置が該第２の通信端末装置であった場合にのみ前記変換処理を行うためのプログラムである、
ことを特徴とする請求項７に記載のウェブ表示プログラム変換システム。
【請求項９】
前記変換情報サーバ装置の前記情報送信部から送信される前記第１のウェブ表示プログラムが、前記第１、第２の通信端末装置に前記表示情報サーバ装置へアクセスさせて前記初期設定プログラムを取得させるためのタグを含むことを特徴とする請求項８に記載のウェブ表示プログラム変換システム。
【請求項１０】
前記初期設定プログラムが、前記前記セグメントリスト、前記変換条件及び前記変換プログラムと共に前記送信部から前記第１、第２通信端末装置に送信されることを特徴とする請求項９に記載のウェブ表示プログラム変換システム。
【請求項１１】
前記初期設定プログラムによって前記第２の通信端末装置であると判断された場合にのみ、前記前記セグメントリスト、前記変換条件及び前記変換プログラムが前記表示情報サーバ装置から該第２通信端末装置に送信されることを特徴とする請求項９に記載のウェブ表示プログラム変換システム。
【請求項１２】
前記変換情報サーバ装置が、
前記第１のウェブ表示プログラムを保存し、
所定の前記第２の通信端末装置からの要求に応じて、該第１のウェブ表示プログラムを送信する、
ことを特徴とする請求項１に記載のウェブ表示プログラム変換システム。
【請求項１３】
第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによってセグメントリストを作成するステップと、
前記第１のウェブ表示プログラムに記述された表示設定を第２の通信端末装置でウェブ表示を行わせるため第２のウェブ表示プログラムの表示設定に変更するための変換条件を、前記セグメント毎に作成するステップと、
前記第２の通信装置に、前記セグメントリスト及び前記変換条件を用いて、前記第１のウェブ表示プログラムから前記第２のウェブ表示プログラムへの変換処理を実行するステップと、
を含むことを特徴とするウェブ表示プログラム変換方法。
【請求項１４】
第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによってセグメントリストを作成する手順と、
前記第１のウェブ表示プログラムに記述された表示設定を第２の通信端末装置でウェブ表示を行わせるため第２のウェブ表示プログラムの表示設定に変更するための変換条件を、前記セグメント毎に作成する手順と、
、前記第２の通信装置に、前記セグメントリスト及び前記変換条件を用いて、前記第１のウェブ表示プログラムから前記第２のウェブ表示プログラムへの変換処理を実行する手順と、
をコンピュータに実行させることを特徴とするウェブ表示プログラム変換用プログラム。
【発明の詳細な説明】
【技術分野】
【０００１】
本発明は、ウェブ表示プログラムを変換するシステム、方法及びプログラムに関し、より具体的には、ある装置に適合して生成されたウェブ表示プログラムを別の装置に適合させるための変換を実行するための変換システム、変換方法及び変換プログラムに関する。
【背景技術】
【０００２】
近年、携帯電話機能のついた携帯通信端末であるスマートフォンの利用が伸びている。スマートフォンは、携帯電話の機能に加え、ウェブサイトを閲覧する機能やアプリケーションを実行させる機能などの、複合的な機能を携帯性の高い小型の装置内に内蔵している。従来から、携帯電話でも、ウェブサイトの閲覧や、アプリケーションの実行は、可能であった。携帯電話のこれら機能は、汎用のパーソナルコンピュータ（ＰＣ）がインターネットを介して他のＰＣやサーバ・コンピュータと接続されたときに実行される機能と、類似している。しかし、一般的な携帯電話では、ＰＣ用に提供されているサービスをそのまま受けることはできない。すなわち、携帯電話のこれら機能は、携帯電話のキャリアによって提供される、携帯電話用に特化されたサービスを受けることによって、実現される。【０００３】
これに対して、スマートフォンは、インターネットに直接接続して、ＰＣ用に作成されたウェブサイトを閲覧することができる。すなわち、携帯電話ではキャリアが提供する形態電話専用サイトに接続して携帯電話専用ＨＴＭＬ(Hyper Text Markup Language)で記述された情報を閲覧するのに対して、スマートフォンではＰＣ用に作成されたＨＴＭＬを直接閲覧することができる。このため、ウェブサイトの提供者は、携帯電話で必要とされるような、専用のウェブページを作成する必要は無い。携帯電話専用サイトに関しては、携帯電話等の表示画面の小さい機器に適したウェブページの作成を容易にするための様々な技術が、提案されている（例えば、下記特許文献１参照）。しかし、作成が容易になったといっても、ＰＣサイトとは別個独立に携帯電話専用のウェブページを制作する必要があり、従って、ＰＣサイトとは別個独立に維持管理を行う必要がある。このため、ＰＣサイトと携帯電話用サイトの両方を運営するサイト運営者は、多くはなかった。【０００４】
これに対して、スマートフォンは、ＰＣサイトをそのまま閲覧でき、従って、スマートフォン専用のＨＴＭＬで記述されたウェブページを作成する必要はない。この点で、スマートフォンは、携帯情報機器として、携帯電話よりも優れている。しかし、スマートフォンは、携帯電話と同様、画面のサイズが小さいこと、文字等の入力操作が容易でないこと等のデメリットがある。従って、スマートフォンは、閲覧の容易さや、操作の容易さの点で、必ずしも十分ではない。【０００５】
このため、ＰＣ用のウェブページを基にして、スマートフォンに適したウェブサイトを作成するサイト運営者も存在する。例えば、ＰＣ用ウェブページの重要でない部分をスマートフォンの表示サイズに合わせて縮小・削除することにより、スマートフォン・ユーザの利便性を考慮したウェブページを作成することができる。【０００６】
ＨＴＭＬの各要素を定めるダグに対して、ＣＳＳ(Cascading Style Sheets)と呼ばれる、見栄えを規定するファイルを変更することで、表示方法を変更することができる。例えば、ＨＴＭＬで記述された情報内に、表組みを規定するタグである<TABLE>があれば、幅を規定するプロパティである<WIDTH>を５０％に設定することで、ある程度スマートフォンに適合した表示を行えるようになる。
【先行技術文献】
【特許文献】
【０００７】
【特許文献１】特開２０１０−２８８２４３号公報
【発明の概要】
【発明が解決しようとする課題】
【０００８】
しかしながら、ＰＣ用のウェブページからスマートフォン用のウェブサイトを作成する場合にも、上述の携帯電話サイトの場合と同じ問題が生じる。すなわち、上述のようにしてスマートフォン専用のサイトを制作した場合も、ＰＣサイトとは別個独立に制作しているのと大差はない。従って、ＰＣサイトとは別個独立に維持管理を行う必要であるとともに、ＰＣサイトの更新とスマートフォン・サイトの更新とを一元化することはできないという課題がある。【０００９】
また、上述のようにＣＳＳを利用する場合、ＰＣ用ウェブページを変換する方法として、１個の法則性しか指定できない。このため、個別ページの個別要素毎に別の表示を行うことができないので、十分に視認性を向上させることができないという課題がある。【００１０】
本発明は、上記従来の問題に鑑みてなされたものであり、一般的な装置用に開発されたウェブ表示プログラムを、予め指定された条件で、特定の他の種類の装置での閲覧に適合できるよう自動的に変換し、特定の装置用にウェブページを作成・管理することなく、その特定の装置に適合するように変換して提供することを目的とする。
【課題を解決するための手段】
【００１１】
第１の発明に係るウェブ表示プログラム変換システムは、通信ネットワークに接続された変換情報サーバ装置を有するウェブ表示プログラム変換システムであって、該変換情報サーバ装置が、第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによって作成されたセグメントリストを保存する第１の記憶部と、前記第１のウェブ表示プログラムに記述された表示設定を第２の通信端末装置でウェブ表示を行わせるため第２のウェブ表示プログラムの表示設定に変更するために、前記セグメント毎に作成された変換条件を保存する第２の記憶部と、前記第２の通信装置に、前記セグメントリスト及び前記変換条件を用いて、前記第１のウェブ表示プログラムから前記第２のウェブ表示プログラムへの変換処理を実行させるための、変換プログラムを保存する第３の記憶部と、前記セグメントリスト、前記変換条件及び前記変換プログラムを前記通信ネットワークに送信する送信部とを備えることを特徴とする。【００１２】
第１の発明においては、前記通信ネットワークに接続された表示情報サーバ装置を更に備え、該表示情報サーバ装置が、前記第１のウェブ表示プログラムを保存し、前記第１、第２の通信端末装置からの要求に応じて、該第１のウェブ表示プログラムを送信することが望ましい。【００１３】
第１の発明においては、前記変換表示情報サーバ装置は、前記第１、第２の通信端末装置で実行するための初期設定プログラムを保存する第４の記憶部を更に備え、前記初期設定プログラムは、通信端末装置が前記第１の通信端末装置であるのか或いは前記第２の通信端末装置であるのかを判断して、該通信端末装置が該第２の通信端末装置であった場合にのみ前記変換処理を行うためのプログラムであることが望ましい。【００１４】
第１の発明においては、前記表示情報サーバ装置の前記情報送信部から送信される前記第１のウェブ表示プログラムが、前記第１、第２の通信端末装置に前記変換表示情報サーバ装置へアクセスさせて前記初期設定プログラムを取得させるためのタグを含むことが望ましい。【００１５】
第１の発明においては、前記初期設定プログラムが、前記前記セグメントリスト、前記変換条件及び前記変換プログラムと共に前記送信部から前記第１、第２通信端末装置に送信されることが望ましい。【００１６】
第１の発明においては、前記初期設定プログラムによって前記第２の通信端末装置であると判断された場合にのみ、前記前記セグメントリスト、前記変換条件及び前記変換プログラムが前記送信部から該第２通信端末装置に送信されることが望ましい。【００１７】
第１の発明においては、前記変換情報サーバ装置は、前記第１のウェブ表示プログラムを保存し、前記第１、第２の通信端末装置からの要求に応じて、該第１のウェブ表示プログラムを送信することが望ましい。【００１８】
第１の発明においては、前記変換情報サーバ装置は、前記第１、第２の通信端末装置で実行するための初期設定プログラムを更に保存し、前記初期設定プログラムは、通信端末装置が前記第１の通信端末装置であるのか或いは前記第２の通信端末装置であるのかを判断して、該通信端末装置が該第２の通信端末装置であった場合にのみ前記変換処理を行うためのプログラムであることが望ましい。【００１９】
第１の発明においては、前記変換情報サーバ装置の前記情報送信部から送信される前記第１のウェブ表示プログラムが、前記第１、第２の通信端末装置に前記表示情報サーバ装置へアクセスさせて前記初期設定プログラムを取得させるためのタグを含むことが望ましい。【００２０】
第１の発明においては、前記初期設定プログラムが、前記前記セグメントリスト、前記変換条件及び前記変換プログラムと共に前記送信部から前記第１、第２通信端末装置に送信されることが望ましい。【００２１】
第１の発明においては、前記初期設定プログラムによって前記第２の通信端末装置であると判断された場合にのみ、前記前記セグメントリスト、前記変換条件及び前記変換プログラムが前記表示情報サーバ装置から該第２通信端末装置に送信されることが望ましい。【００２２】
第１の発明においては、前記変換情報サーバ装置が、前記第１のウェブ表示プログラムを保存し、所定の前記第２の通信端末装置からの要求に応じて、該第１のウェブ表示プログラムを送信することが望ましい。【００２３】
第２の発明に係るウェブ表示プログラム変換方法は、第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによってセグメントリストを作成するステップと、前記第１のウェブ表示プログラムに記述された表示設定を第２の通信端末装置でウェブ表示を行わせるため第２のウェブ表示プログラムの表示設定に変更するための変換条件を、前記セグメント毎に作成するステップと、前記第２の通信装置に、前記セグメントリスト及び前記変換条件を用いて、前記第１のウェブ表示プログラムから前記第２のウェブ表示プログラムへの変換処理を実行するステップとを含むことを特徴とする。【００２４】
第３の発明に係るウェブ表示プログラム変換用プログラムは、第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによってセグメントリストを作成する手順と、前記第１のウェブ表示プログラムに記述された表示設定を第２の通信端末装置でウェブ表示を行わせるため第２のウェブ表示プログラムの表示設定に変更するための変換条件を、前記セグメント毎に作成する手順と、、前記第２の通信装置に、前記セグメントリスト及び前記変換条件を用いて、前記第１のウェブ表示プログラムから前記第２のウェブ表示プログラムへの変換処理を実行する手順とをコンピュータに実行させることを特徴とする。
【発明の効果】
【００２５】
本発明では、第１の通信端末装置でウェブ表示を行わせるための第１のウェブ表示プログラムをセグメントに分割して、各セグメントをセグメントリストで特定できるようにし、これらセグメント毎に変換条件を設定する。そして、該セグメントリストと該変換条件とを用いた変換処理によって、第２の通信端末装置でウェブ表示を行わせるための第２のウェブ表示プログラムを作成する。この結果、本発明によれば、簡単な処理によって、第１のウェブ表示プログラムを第２のウェブ表示プログラムに変換することができる。【００２６】
さらには、第１のウェブ表示プログラムを更新した場合にも、セグメントリストと変換条件の簡単な変更のみによって、第２のウェブ表示プログラムを更新することが可能である。【００２７】
また、本発明に係るシステムによれば、変換処理を第２の通信端末装置に行わせるので、第２の通信端末装置用の表示情報サーバを運営する必要が無い。
【図面の簡単な説明】
【００２８】
【図１】実施の形態１のシステム構成図である。
【図２】実施の形態１に係る制御サーバの機能ブロック図である。
【図３】実施の形態１に係る企業サーバの機能ブロック図である。
【図４】実施の形態１に係るプログラム変換処理を示すフローチャートである。
【図５】実施の形態１に係るネットワークシステムにおける処理の流れを説明するための図である。
【図６】実施の形態１に係るプログラム変換の原理を説明するための図である。
【図７】実施の形態１に係るＨＴＭＬの分割、識別情報付加処理の一例を示すフローチャートである。
【図８】実施の形態１に係るシステムを用いて表示が改善される例を示す図である。
【図９】実施の形態１に係る変換条件の設定処理の一例を示すフローチャートである。
【図１０】実施の形態１に係る変換条件の設定処理の表示画面の一例を示す図である。
【図１１】実施の形態１に係るセグメントを示す概念図である。
【図１２】実施の形態２に係る処理の流れを示すブロック図である。
【図１３】実施の形態３に係る処理の流れを示すブロック図である。
【発明を実施するための形態】
【００２９】
以下、本発明の実施の形態について、図面を参照して説明する。
［発明の実施の形態１]  
【００３０】
実施の形態１のシステムは、パーソナルコンピュータ（ＰＣ）用に開発されたウェブ表示プログラムを、携帯通信端末に最適に実行させるためのシステムである。本実施形態に係る携帯通信端末は、ディスプレイの表示サイズやユーザ・インタフェースはＰＣと異なるが、ＣＰＵ(Central Processing Unit) 、通信インタフェース及びメモリ等の内部構成はＰＣと同様である。携帯通信端末としては、例えば、スマートフォンや、インターネットブラウジング機能を有する携帯電話が使用できる。本実施形態に係るウェブ表示プログラムは、インターネット等のネットワークを介してサーバ等から携帯通信端末にダウンロードされ、かかる携帯通信端末上で主に表示処理を実行する。本実施形態のウェブ表示プログラムは、典型的にはＨＴＭＬ等のインターネット用マークアップ言語で作成されたプログラムであるが、これには限らない。
【００３１】
ＨＴＭＬで記述されたプログラムを用いてＰＣ用ウェブサイトのデータを表示する場合、一般に、情報量が非常に多くなる。このため、ＰＣよりもディスプレイが小さい携帯通信端末で、ＰＣ用ウェブサイトを表示しようとすると、表示データが全体的に小さくなって、非常に見難くなる。これは、ＰＣのディスプレイよりもサイズが小さいディスプレイに、ＰＣと同じ画面を表示させようとする場合に、当然のごとく生じる問題である。この問題を解決するためには、ＰＣのディスプレイに表示される文字情報や画像等のうち、一部を縮小表示或いは非表示にすればよい。これにより、他の文字情報等を見やすい表示サイズで表示することが可能となって、携帯通信端末による良好な閲覧が可能になる。通常、ＰＣ用ウェブページには、携帯通信端末で閲覧される場合には重要でない文字情報等、携帯通信端末では表示したくない文字情報等、携帯通信端末上では内容を変更したり或いはレイアウトを入れ替えたりしたい文字情報等が、存在する。本実施形態では、このような文字情報等を、縮小表示或いは非表示にする。このようなウェブ表示プログラム変換は、全て自動で行うことも可能である。しかしながら、携帯通信端末に対する適合度を可能な限り高くするためには、ウェブサイト提供者が、表示要素ごとに、個別に、表示／非表示や、表示の大きさ、表示される順序、表示の組み合わせ等を調整することが望ましい。
【００３２】
具体的には、本実施形態では、表示画面を、予め複数のセグメントに分割しておき、各セグメント毎に表示の縮小、非表示化等を行う。これにより、ＰＣ用に作成されたウェブ表示プログラムは、ウェブサイト提供者が所望する表示状態の携帯通信端末用ウェブ表示プログラムに変換される。このためには、表示の要素とプログラムの記述との対応関係が比較的単純なマークアップ言語である、ＨＴＭＬを使用することが望ましい。従って、以下の説明では、アークアップ言語としてＨＴＭＬを採用する場合を例に採る。但し、本発明の原理が適用できる言語であれば、他の種類のマークアップ言語を採用することも可能である。
（本実施形態のシステム構成）
【００３３】
図１は、本実施形態のシステム構成を示す概念図である。図１に示すように、「第１の通信端末装置」としてのＰＣ１０４と、「第２の通信端末装置」としての携帯通信端末（この例ではスマートフォン）１０２と、「表示情報サーバ」としての企業サーバ１１２と、「変換情報サーバ」としての制御サーバ１２２とを備えている。
【００３４】
ＰＣ１０４及びスマートフォン１０２は、ネットワーク（この例ではインターネット１１１）を介して、企業サーバ１１２に通信接続されている。ＰＣ１０４及びスマートフォン１０２は、ＨＴＭＬを用いて記述された様々なプログラムを、企業サーバ１１２から受信して実行する。
【００３５】
企業サーバ１１２は、例えばＷＷＷサーバであり、ＰＣ１０４やスマートフォン１０２で表示等するための情報を提供する。企業サーバ１１２は、ウェブサイト提供者によって運営、管理等が行われる。
【００３６】
制御サーバ１２２は、本実施形態の特徴的な処理を実行するサーバであり、インターネット１１１を介してＰＣ１０４及びスマートフォン１０２に通信接続されている。さらに、制御サーバ１２２は、インターネット１１１を介して或いは直接に、企業サーバ１１２と、データの送受信を行うことができる。制御サーバ１２２は、例えば、ＰＣ用のウェブ表示プログラムを携帯通信端末用のウェブ表示プログラムを携帯通信端末用に変換するサービスを提供する業者によって、運営、管理等が行われる。
【００３７】
図２は、本実施形態に係る制御サーバ１２２の機能モジュール構成を示すブロック図である。図２に示すように、制御サーバ１２２は、送受信部２０１と、クライアント制御部２０２と、プログラムメンテナンス部２０３と、記憶部２０４と、ＨＴＭＬ分割部２０５とを備えている。
【００３８】
送受信部２０１は、ＰＣ１０４、スマートフォン１０２及び企業サーバ１１２との、データの送受信を管理する。上述の図１から解るように、制御サーバ１２２は、ＰＣ１０４、スマートフォン１０２及び企業サーバ１１２に通信接続されている。
【００３９】
ＨＴＭＬ分割部２０５は、ＨＴＭＬファイルを複数のセグメントに分割して、セグメントリストを生成する（後述）。セグメントリストとは、分割後の各ＨＴＭＬファイルに付された識別情報のリストである。セグメントリストは、記憶部２０４に格納される。
【００４０】
記憶部２０４は、セグメントリストに加えて、変換プログラム、変換条件、初期設定プログラムを格納する（後述）。記憶部２０４は、制御サーバ１２２に内蔵されていてもよいし、外付けデータベースとして構築されていてもよい。
【００４１】
クライアント制御部２０２は、上述の変換プログラム、変換条件、セグメントリスト等、スマートフォン１０２がＨＴＭＬファイルをセグメント単位で変換するために必要なデータを管理する。
【００４２】
プログラムメンテナンス部２０３は、変換条件を設定するための変換条件設定ツール（後述）を実行する。また、プログラムメンテナンス部２０３は、関連する種々のデータやプログラムの管理を行う。
【００４３】
図３は、本実施形態に係る企業サーバ１１２の機能モジュール構成を示すブロック図である。企業サーバ１１２は、送受信部３０１と、情報提供部３０２と、提供情報データベース３０４とを備えている。
【００４４】
送受信部３０１は、ＰＣ１０４、スマートフォン１ひょう０２及び制御サーバ１２２との、データの送受信を管理する。上述の図１から解るように、企業サーバ１１２は、ＰＣ１０４、スマートフォン１０２及び制御サーバ１２２に通信接続されている。
【００４５】
情報提供部３０２は、スマートフォン１０２やＰＣ１０４から企業サーバ１１２に情報提供の要求がなされたときに、その要求に対応するウェブ表示プログラムのファイルを提供情報データベース３０４から読み出して、スマートフォン１０２やＰＣ１０４に送信する。
【００４６】
提供情報データベース３０４は、スマートフォン１０２等に提供される、ウェブ表示プログラムファイル等が、格納されている。
【００４７】
後述するように、スマートフォン１０２やＰＣ１０４は、企業サーバ１１２から提供された情報を解釈し、解釈の結果に応じた処理を行う。本実施形態で、スマートフォン１０２やＰＣ１０４に提供されるウェブ表示プログラムとしては、従来の同様のプログラムを使用することができる。但し、本実施形態のウェブ表示プログラムには、スマートフォン１０２やＰＣ１０４を制御サーバ１１２に接続させるためのタグが付加されている。すなわち、スマートフォン１０２やＰＣ１０４のウェブブラウザは、ウェブ表示プログラムを解釈すると、制御サーバ１１２へ接続する。
（本実施形態の処理の原理）
【００４８】
本実施形態では、ＰＣ１０４用のウェブ表示プログラムをスマートフォン１０２用に変換する。以下、その原理について、図７を用いて説明する。
【００４９】
本実施形態では、企業サーバのプログラム開発者が、ウェブ表示プログラムで表示される各ページの各要素毎に、表示上の変更を自由に行うことができる。このために、本実施形態では、以下のようにして、ＨＴＭＬファイルを、セグメントに分割するとともに、各セグメントに識別情報を関連づける。このとき、変更されるセグメントと対応する部分を、ＨＴＭＬファイル上で特定するために、変更前のＨＴＭＬファイルに含まれるタグをすべて暗号化してもよい。以下、ＴＡＢＬＥタグを使用する例を、説明する。なお、本発明は、ＨＴＭＬ以外のプログラム言語を使用する場合にも実現することができ、また、暗号化は必須ではない。
【００５０】
変換条件ファイルを設計する際に、プログラム開発者は、まず、ＨＴＭＬソースを入手する（図７のステップＳ７０１参照）。本実施形態では、図１１に示したように、ＰＣ用画面１１１０に含まれるセグメント１１１１，１１１２，１１１３，１１１４のうち、セグメント１１１３の表示（すなわち‘ＡＢＣＤＥ’及び‘ＦＧＨＩＪ’との表示）を変更するための変換処理を説明する。セグメント１１３のＨＴＭＬソースは、例えば以下のように記述されている。
<html>
<body>
<table>
<tr>
<td>ＡＢＣＤＥ</td>
<td>ＦＧＨＩＪ</td>
</tr>
</table>
</body>
</html>
【００５１】
プログラム開発者は、上記ＨＴＭＬソースから、セグメント１１１３に対応するタグを抽出する（ステップＳ７０２参照）。そして、これらのタグに対して、下記のように、識別情報として‘body'、‘table1’、‘table1,tr1’、‘table1,tr1,td1’、‘table1,tr1,td2’を割り当てる（ステップＳ７０３参照）。
<body>                   →body
<table>                  →table1
<tr>                     →table1,tr1
<td>ＡＢＣＤＥ</td>      →table1,tr1,td1
<td>ＦＧＨＩＪ</td>      →table1,tr1,td2
</tr>                    
</table>
</body>
【００５２】
続いて、プログラム開発者は、変換処理の対象となるセグメント（この例ではセグメント１１１３）と、かかる変換処理の対象となるタグと、これらのタグに付された識別情報との関係を示すセグメントリストを作成する（ステップＳ７０４参照）。
【００５３】
このようにして、ＨＴＭＬをセグメントに分割する処理と、タグに識別情報を付与する処理とを行うことにより、プログラム開発者は、識別情報を用いて任意のセグメントを特定するとともに、特定されたセグメントの表示を変更することが可能になる。本実施形態では、後述の管理ソフトウエア（すなわち変換条件設定ツール）を用いて、変換条件ファイルを作成する。変換条件ファイルでは、セグメントの識別情報ごとに、表示変更の内容が特定される。但し、本発明のシステムは、本実施形態とは異なる形式の変換条件ファイルを使用することも可能である。
【００５４】
後述するように、変換条件及びセグメントリストは、変換プログラムと共に、制御サーバ１１２からスマートフォン１０２に送られる。スマートフォン１０２内の変換プログラムは、変換条件及びセグメントリストを用いて、所定の変換処理を実行する（ステップＳ７０５参照）。すなわち、スマートフォン１０２は、ウェブブラウザ等を用いてＨＴＭＬファイルを解釈して表示を行う際、変換条件及びセグメントリストに従って表示内容を変更したのちに、実際の表示を行う。変換プログラムとしては、例えばJavaScript（登録商標）を使用することができるが、他の方法を採用してもよい。
【００５５】
上述のＨＴＭＬソースの例を用いて具体的に説明すると、例えば‘ＦＧＨＩＪ’との文字要素に対しては、‘table1,tr1,td2’という識別情報が付されている。この識別情報により、この文字要素が、最初のtableタグ内の、最初のtrタグ内の、二番目のtdタグに対応していることを、特定できる。ここで、スマートフォン１０２では、文字要素‘ＦＧＨＩＪ’の境界線の色を赤に変更したいが、他の表示条件はＰＣ１０４と同じでよい場合を説明する。この場合、‘table1,tr1,td2’という識別情報と、境界線を赤にするための属性情報とを含む変換条件が、制御サーバ１１２によって生成される。本実施形態では、このような処理を、変換プログラムが、セグメントリストと変換条件とを用いて実行する。従って、本実施形態では、表示を変更するためにＨＴＭＬソースを分割する必要が無い。
【００５６】
変換処理としては、境界線の色に加えて、その表示要素の表示／非表示の区別の変更、表示サイズの変更、その表示要素の色の変更、表示の位置や順序の変更、他の表示要素（テキストや画像等）への入れ替え等を行うことができる。これらの変換は、いずれも、上述のような、セグメントリストに含まれる識別情報を使用して、所望の表示要素に対してのみ実行することができる。この結果、ＰＣ１０４用のウェブ表示プログラムを、スマートフォン１０２に適したウェブ表示に、簡単に変換することができる。
【００５７】
ウェブ表示プログラムは、表示内容や提供情報を更新するために、変更される場合がある。しかし、通常、ウェブ表示の全体的な構造が変更されることは、少ない。このため、ウェブ表示プログラムが更新された場合でも、変換条件やセグメントリスト等の大規模な見直しが必要になるケースは少ない。例えば、上述の‘ＦＧＨＩＪ’との文字列が他の文字列に変更された場合でも、その新しい文字列の境界線を赤にするという変換処理を行う場合には、変換条件やセグメントリストを書き換える必要は無い。また、更新前の変換条件やセグメントリストをそのまま使用できない場合でも、本実施形態によれば変換条件やセグメントリストの変更という簡単な処理だけで、スマートフォン１０４用のウェブ表示プログラムを更新することができる。表示／非表示の区別の変更、表示サイズの変更、その表示要素の色の変更、表示の位置や順序の変更、他の表示要素への入れ替え等の処理についても、同様である。
（本実施形態の具体的な処理）
【００５８】
上述のように、本実施形態に係る変換処理は、ウェブ表示プログラムに基づいてセグメントリスト及び変換条件を作成する処理と、作成されたセグメントリスト及び変換条件を用いてウェブ表示プログラムを変換する処理とを含む。これらの処理は、様々なハードウエア環境や、様々なソフトウエア構成を用いて実行することができる。例えば、１台のサーバで全ての処理を実行した後で、変換後のウェブ表示プログラムをスマートフォン１０２に送信して、変換後の表示を行わせることも可能である。また、これらの処理を、複数台のサーバに分担して実行させることも可能である。本実施形態では、セグメントリストや変換条件を作成する処理を制御サーバ１１２が実行し、且つ、ウェブ表示プログラムを変換する処理をスマートフォン１０２が実行する。本実施形態では、ウェブ表示プログラムのＨＴＭＬソースをセグメントに分割して、変換対象となるセグメントをセグメントリストで特定し、特定されたセグメントのみについて変換処理を実行すればよく、従って、スマートフォン１０２の負荷は小さい。
【００５９】
図４は、本実施形態に係る変換処理の流れを示すフローチャートである。図５は、本実施形態に係る処理の流れを示すブロック図である。図６は、スマートフォン１０２の処理を示すブロック図である。
【００６０】
制御サーバ１２２は、企業サーバ１１２からウェブ表示プログラムのＨＴＭＬソースを取得する（図５の（１）参照）。そして、制御サーバ１１２は、上述のようにして、変換条件６１２及びセグメントリスト６１３を作成する（図５の（２）参照）。これら変換条件６１２及びセグメントリスト６１３は、変換プログラム６１１及び初期設定プログラム（後述）と共に、制御サーバ１１２内に格納される。
【００６１】
スマートフォン１０２は、企業サーバ１１２にアクセスして、かかる企業サーバ１１２に所望の情報を要求する（図５の（３）参照）。企業サーバ１１２は、要求された情報に対応するＨＴＭＬファイルを、スマートフォン１０２に送信する（図４のステップＳ４０１及び図５の（４）参照）。スマートフォン１０２のウェブブラウザは、受信したＨＴＭＬファイルを解釈する。上述のように、このＨＴＭＬファイルには、スマートフォン１０２等に制御サーバ１１２へアクセスさせるための、タグが設定されている。スマートフォン１０２は、このタグに基づいて制御サーバ１１２にアクセスする（図５の（５）参照）。そして、スマートフォン１０２は、制御サーバ１１２から、初期設定プログラム６１０や、変換プログラム６１１、変換条件６１２、セグメントリスト６１３等を含むプログラムファイルをダウンロードし（図５の（６）参照）、この初期設定プログラムを用いて初期処理を実行する（ステップＳ４０２参照）。この初期処理では、通信端末（すなわち、クライアント端末）の種類が判定される（ステップＳ４０３参照）。通信端末がスマートフォンでない場合（例えばＰＣであった場合）、本実施形態の変換処理は行われず、上述のステップＳ４０１で受信されたＨＴＭＬファイルがそのままウェブブラウザで表示される（ステップＳ４０７）。
【００６２】
一方、ステップＳ４０３で通信端末がスマートフォンであると判断された場合、スマートフォン１０２は、変換プログラム６１１を実行する（ステップＳ４０６参照）。上述のように、変換プログラム６１１は、変換条件６１２及びセグメントリスト６１３を用いて、上述のステップＳ４０１で受信されたＨＴＭＬファイルの、変換処理を行う。上述のように、この変換処理により、ウェブ表示プログラムに含まれるＨＴＭＬソース６０１のうち、セグメントリスト６１３で特定されたセグメント６０２に対応する部分が、変換条件６１２に基づいて変換される。そして、スマートフォン１０２は、変換後のウェブ表示プログラムを表示する（図５の（７）参照）。
【００６３】
上述のステップＳ４０３では、通信端末がスマートフォンであるか否かのみを判断した。しかしながら、通信端末がスマートフォンである場合に、更に、スマートフォンの機種を判断することとしてもよい。
【００６４】
また、上述のステップＳ４０２では、初期設定プログラム６１０、変換プログラム６１１、変換条件６１２及びセグメントリスト６１３を同時にダウンロードした。しかし、例えば、ステップＳ４０２では初期設定プログラム６１０のみをダウンロードし、ステップＳ４０３で通信端末がスマートフォンであると判断された場合に、変換プログラム６１１、変換条件６１２及びセグメントリスト６１３をダウンロードして、ステップＳ４０６の処理を実行してもよい。
【００６５】
図８は、本実施形態に係る変換システムで変換されたウェブ表示を説明するための概念図である。図８に示したように、ＰＣ１０４用の画面をスマートフォン１０２に表示させるときに、そのまま縮小した画面（表示例８０１参照）にすると、文字や画像が小さくなりすぎて、閲覧に耐えないものとなる。また、個々の表示を視聴可能なサイズに拡大すると、文字や画像の閲覧は容易になるが、表示のレイアウトが崩れて全体構成が認識できなくなる（表示例８０２参照）。これに対して、本実施形態の変換処理を行う場合、後述の変換条件設定ツール８０４を用いてセグメント毎に表示／非表示の区別、サイズ変更、レイアウト変更、デザイン変更、差し替え等を行うことができるので（表示例８０３参照）、スマートフォン１０２に適した、閲覧が容易なウェブ表示を行うことが可能になる。
【００６６】
上述のように、本実施形態では、通信端末がスマートフォンである場合に、更に、スマートフォンの機種を判断することも可能である。スマートフォンの機種を判断する場合、例えば、上述のような変換処理を行った後で、更に、機種毎に定められた処理を実行することにしてもよい。これにより、さらに使い勝手のよいウェブサイトを提供することができる。
（変換条件の設定処理）
【００６７】
本実施形態の処理、すなわちセグメントリスト及び変換条件を用いてＨＴＭＬファイルを変換する処理を行うためのプログラム、すなわち変換条件設定ツール１０００について、図９及び図１０を用いて説明する。
【００６８】
まず、本実施形態では、ウェブサイト提供者或いはプログラム開発者が、図１０に示すような変換条件設定ツール１０００を使用して、ウェブ表示プログラムの変換処理を行い、制御サーバ１２２に送る。
【００６９】
ウェブサイト提供者等は、自己のＰＣで、制御サーバ１２２のプログラムメンテナンス部２０３（図２参照）に格納された変換条件設定ツール１０００にアクセスする。
【００７０】
この変換条件設定ツール１０００は、まず、ＰＣ１０４用のＨＴＭＬファイルを読み出す（図９のステップＳ９０１参照）。
【００７１】
続いて、変換条件設定ツール１０００は、上述のような、ＨＴＭＬファイルをセグメントに分割する処理や識別情報を付加する処理等を実行して、セグメントリストを作成する（ステップＳ９０２参照）。
【００７２】
そして、変換条件設定ツール１０００は、ＨＴＭＬファイルの、ＰＣ１０４用の表示画面１００１と、スマートフォン１０２用の表示画面１００２とを、同時に表示する。更に、ＰＣ１０４用の表示画面１００１には、図１０に示したようなコントロールパネルが表示される。
【００７３】
この状態で、ウェブサイト提供者等は、ＰＣ１０４用の表示画面１００１で任意のセグメント１０１０をクリックする。これにより、クリックされたセグメント１０１０がハイライト表示されると同時に、スマートフォン１０２用表示画面１００２のセグメントのうち、このセグメント１０１０に対応するセグメント１０１１もハイライト表示される。
【００７４】
そして、ウェブサイト提供者等は、コントロールパネルを用いて、セグメント１０１０に対する変換処理を決定する（ステップＳ９０４参照）。変換条件設定ツール１０００は、上述のような変換ファイル生成処理を行う。これにより、かかる変換処理を反映させたセグメントリスト及び変換条件が再作成される。そして、変換条件設定ツール１０００は、変換処理の結果に応じてＨＴＭＬファイルを変換して、スマートフォン１０２用の表示画面１００２を変更する。これにより、ウェブサイト提供者等は、変換処理の結果を確認することができる。
【００７５】
変換処理の結果に問題が無ければ、他のセグメントについても、同様の手順で変換処理が行われる。このようにして、最終的な変換変換ファイルが作成される。
【００７６】
変換条件ファイルは、本明細書では詳述しないが、本発明を実施できるものであれば、そのような形式、記憶形態のものでもよい。また、変換条件ファイルを、上述の変換プログラムに内蔵することも可能である。
【００７７】
以上説明したように、本実施形態によれば、簡単な処理によって、ＰＣ１０４用のウェブ表示プログラムを、スマートフォン１０２用のウェブ表示プログラムに変換することができる。さらには、ＰＣ１０４用のウェブ表示プログラムを更新した場合にも、セグメントリストや変換条件の変更は必要ないか、或いは、非常に簡単である。
【００７８】
また、本実施形態によれば、変換処理をスマートフォン１０４に行わせるので、スマートフォン用のＷＷＷサーバ等を運営する必要が無い。
［発明の実施の形態２]  
【００７９】
実施の形態２のシステムでは、変換条件６１２及びセグメントリスト６１３が、企業サーバによってスマートフォンに提供される。すなわち、本実施形態の企業サーバは、本発明の「変換情報サーバ」及び「表示情報サーバ」の両方に対応している。
【００８０】
図１２は、本実施形態に係る処理の流れを示すブロック図である。
【００８１】
企業サーバ１２０１は、内部データベース１２０２に格納されたウェブ表示プログラムのＨＴＭＬソースを読み出す（図１２の（１）参照）。そして、企業サーバ１２０１は、実施の形態１の制御サーバ１１２と同様にして、変換条件６１２及びセグメントリスト６１３を作成する（図１２の（２）参照）。これら変換条件６１２及びセグメントリスト６１３は、初期設定プログラム６１０及び変換プログラム６１１と共に、企業サーバ１２０１内の記憶部に格納される。
【００８２】
スマートフォン１０２は、企業サーバ１２０１にアクセスして、かかる企業サーバ１２０１に所望の情報を要求する（図１２の（３）参照）。企業サーバ１１２は、要求された情報に対応するＨＴＭＬファイルを、スマートフォン１０２に送信する（図１２の（４）参照）。スマートフォン１０２のウェブブラウザは、受信したＨＴＭＬファイルを解釈する。このＨＴＭＬファイルには、スマートフォン１０２等に企業サーバ１２０１へアクセスさせるための、タグが設定されている。スマートフォン１０２は、このタグに基づいて企業サーバ１２０１に再びアクセスする（図１２の（５）参照）。そして、スマートフォン１０２は、企業サーバ１２０１から、初期設定プログラム６１０や、変換プログラム６１１、変換条件６１２、セグメントリスト６１３等を含むプログラムファイルをダウンロードし（図１２の（６）参照）、この初期設定プログラムを用いて初期処理を実行する。この初期処理では、通信端末（すなわち、クライアント端末）の種類が判定される。通信端末がスマートフォンでない場合（例えばＰＣであった場合）、本実施形態の変換処理は行われず、受信されたＨＴＭＬファイルがそのままウェブブラウザで表示される。
【００８３】
一方、通信端末がスマートフォンであると判断された場合、スマートフォン１０２は、変換プログラム６１１を実行する。実施の形態１と同様、変換プログラム６１１は、変換条件６１２及びセグメントリスト６１３を用いて、受信されたＨＴＭＬファイルの、変換処理を行う。この変換処理により、ウェブ表示プログラムに含まれるＨＴＭＬソース６０１のうち、セグメントリスト６１３で特定されたセグメント６０２に対応する部分が、変換条件６１２に基づいて変換される。そして、スマートフォン１０２は、変換後のウェブ表示プログラムを表示する（図１２の（７）参照）。
【００８４】
他の機能及び動作は、実施の形態１と同様であるため、説明を省略する。
【００８５】
例えば、ウェブサイト提供者のセキュリティーポリシー等の観点から第三者のサーバである制御サーバを利用することが困難である場合等に、本実施形態は有益である。
［発明の実施の形態３]  
【００８６】
実施の形態３のシステムでは、スマートフォン用のウェブ表示プログラムが、制御サーバによって、スマートフォンに提供される。
【００８７】
図１３は、本実施形態に係る処理の流れを示すブロック図である。
【００８８】
制御サーバ１３０１は、企業サーバ１３０２からウェブ表示プログラムのＨＴＭＬソースを取得する（図１３の（１）参照）。そして、制御サーバ１３０１は、上述のようにして、変換条件６１２及びセグメントリスト６１３を作成する（図１３の（２）参照）。これら変換条件６１２及びセグメントリスト６１３は、初期設定プログラム６１０及び変換プログラム６１１と共に、制御サーバ１３０１内に格納される。
【００８９】
スマートフォン１０２は、制御サーバ１３０１にアクセスして、かかる制御サーバ１３０１に所望の情報を要求する（図１３の（３）参照）。制御サーバ１３０１は、要求された情報に対応するＨＴＭＬファイル等と共に、変換プログラム６１１、変換条件６１２、セグメントリスト６１３等を含むプログラムファイルを、スマートフォン１０２に送信する（図１３の（４）参照）。スマートフォン１０２は、変換プログラム６１１を実行する。実施の形態１と同様、変換プログラム６１１は、変換条件６１２及びセグメントリスト６１３を用いて、受信されたＨＴＭＬファイルの変換処理を行う。この変換処理により、ウェブ表示プログラムに含まれるＨＴＭＬソース６０１のうち、セグメントリスト６１３で特定されたセグメント６０２に対応する記述部分が、変換条件６１２に基づいて変換される。そして、スマートフォン１０２は、変換後のウェブ表示プログラムを表示する（図１３の（５）参照）。
【００９０】
このように、本実施形態の制御サーバ１３０１は、スマートフォン１０２にウェブ表示プログラムの供給する際に、これと同時に変換プログラム６１１等も供給する。このため、ＨＴＭＬソースにタグを設定する必要は無い。
【００９１】
他の構成及び動作は、実施の形態１と同様であるため、説明を省略する。
【００９２】
例えば、スマートフォン１０２の製造業者が自社製スマートフォンに対してウェブサイト閲覧サービスを提供する場合等に、本実施形態は有益である。
【符号の説明】
【００９３】
１０２  スマートフォン
１０４  パーソナルコンピュータ（ＰＣ）
１１１  インターネット
１１２  企業サーバ
１２２  制御サーバ
２０１，３０１  送受信部
２０２  クライアント制御部
２０３  プログラムメンテナンス部
２０４  記憶部
２０５  ＨＴＭＬ分割部
３０２  情報提供部
３０４  提供情報データベース
６０１  ＨＴＭＬソース
６０２  セグメント
６１０  初期設定プログラム
６１１  変換プログラム
６１２  変換条件
６１３  セグメントリスト
【図１】
2012120704.tif 000003
【図２】
2012120704.tif 000004
【図３】
2012120704.tif 000005
【図４】
2012120704.tif 000006
【図５】
2012120704.tif 000007
【図６】
2012120704.tif 000008
【図７】
2012120704.tif 000009
【図８】
2012120704.tif 000010
【図９】
2012120704.tif 000011
【図１０】
2012120704.tif 000012
【図１１】
2012120704.tif 000013
【図１２】
2012120704.tif 000014
【図１３】
2012120704.tif 000015
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
通信ネットワークに接続された変換情報サーバ装置を有するウェブ表示プログラム変換システムであって、
該変換情報サーバ装置が、
第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによって作成されたセグメントリストを保存する第１の記憶部と、
前記第１のウェブ表示プログラムに記述された表示設定を第２の通信端末装置でウェブ表示を行わせるための第２のウェブ表示プログラムの表示設定に変更するために、前記セグメント毎に作成された変換条件を保存する第２の記憶部と、
前記第２の通信装置に、前記セグメントリスト及び前記変換条件を用いて、前記第１のウェブ表示プログラムから前記第２のウェブ表示プログラムへの変換処理を実行させるための、変換プログラムを保存する第３の記憶部と、
前記セグメントリスト、前記変換条件及び前記変換プログラムを前記通信ネットワークに送信する送信部と、
を備えることを特徴とするウェブ表示プログラム変換システム。
【請求項２】
前記通信ネットワークに接続された表示情報サーバ装置を更に備え、
該表示情報サーバ装置が、
前記第１のウェブ表示プログラムを保存し、
前記第１、第２の通信端末装置からの要求に応じて、該第１のウェブ表示プログラムを送信する、
ことを特徴とする請求項１に記載のウェブ表示プログラム変換システム。
【請求項３】
前記変換情報サーバ装置は、前記第１、第２の通信端末装置で実行するための初期設定プログラムを保存する第４の記憶部を更に備え、
前記初期設定プログラムは、通信端末装置が前記第１の通信端末装置であるのか或いは前記第２の通信端末装置であるのかを判断して、該通信端末装置が該第２の通信端末装置であった場合にのみ前記変換処理を行うためのプログラムである、
ことを特徴とする請求項２に記載のウェブ表示プログラム変換システム。
【請求項４】
前記表示情報サーバ装置から送信される前記第１のウェブ表示プログラムが、前記第１、第２の通信端末装置に前記変換情報サーバ装置へアクセスさせて前記初期設定プログラムを取得させるためのタグを含むことを特徴とする請求項３に記載のウェブ表示プログラム変換システム。
【請求項５】
前記初期設定プログラムが、前記前記セグメントリスト、前記変換条件及び前記変換プログラムと共に前記送信部から前記第１、第２通信端末装置に送信されることを特徴とする請求項４に記載のウェブ表示プログラム変換システム。
【請求項６】
前記初期設定プログラムによって前記第２の通信端末装置であると判断された場合にのみ、前記前記セグメントリスト、前記変換条件及び前記変換プログラムが前記送信部から該第２通信端末装置に送信されることを特徴とする請求項４に記載のウェブ表示プログラム変換システム。
【請求項７】
前記変換情報サーバ装置は、
前記第１のウェブ表示プログラムを保存し、
前記第１、第２の通信端末装置からの要求に応じて、該第１のウェブ表示プログラムを送信する、
ことを特徴とする請求項１に記載のウェブ表示プログラム変換システム。
【請求項８】
前記変換情報サーバ装置は、前記第１、第２の通信端末装置で実行するための初期設定プログラムを更に保存し、
前記初期設定プログラムは、通信端末装置が前記第１の通信端末装置であるのか或いは前記第２の通信端末装置であるのかを判断して、該通信端末装置が該第２の通信端末装置であった場合にのみ前記変換処理を行うためのプログラムである、
ことを特徴とする請求項７に記載のウェブ表示プログラム変換システム。
【請求項９】
前記変換情報サーバ装置の前記送信部から送信される前記第１のウェブ表示プログラムが、前記第１、第２の通信端末装置に前記変換情報サーバ装置へ再びアクセスさせて前記初期設定プログラムを取得させるためのタグを含むことを特徴とする請求項８に記載のウェブ表示プログラム変換システム。
【請求項１０】
前記初期設定プログラムが、前記前記セグメントリスト、前記変換条件及び前記変換プログラムと共に前記送信部から前記第１、第２通信端末装置に送信されることを特徴とする請求項９に記載のウェブ表示プログラム変換システム。
【請求項１１】
前記初期設定プログラムによって前記第２の通信端末装置であると判断された場合にのみ、前記前記セグメントリスト、前記変換条件及び前記変換プログラムが前記表示情報サーバ装置から該第２通信端末装置に送信されることを特徴とする請求項９に記載のウェブ表示プログラム変換システム。
【請求項１２】
前記変換情報サーバ装置が、
前記第１のウェブ表示プログラムを保存し、
所定の前記第２の通信端末装置からの要求に応じて、該第１のウェブ表示プログラムを送信する、
ことを特徴とする請求項１に記載のウェブ表示プログラム変換システム。
【請求項１３】
第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによってセグメントリストを作成するステップと、
前記第１のウェブ表示プログラムに記述された表示設定を第２の通信端末装置でウェブ表示を行わせるため第２のウェブ表示プログラムの表示設定に変更するための変換条件を、前記セグメント毎に作成するステップと、
前記第２の通信装置に、前記セグメントリスト及び前記変換条件を用いて、前記第１のウェブ表示プログラムから前記第２のウェブ表示プログラムへの変換処理を実行させるステップと、
を含むことを特徴とするウェブ表示プログラム変換方法。
【請求項１４】
第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによってセグメントリストを作成する手順と、
前記第１のウェブ表示プログラムに記述された表示設定を第２の通信端末装置でウェブ表示を行わせるため第２のウェブ表示プログラムの表示設定に変更するための変換条件を、前記セグメント毎に作成する手順と、
前記第２の通信装置に、前記セグメントリスト及び前記変換条件を用いて、前記第１のウェブ表示プログラムから前記第２のウェブ表示プログラムへの変換処理を実行させる手順と、
をコンピュータに実行させることを特徴とするウェブ表示プログラム変換用プログラム。
【手続補正２】
【補正対象書類名】明細書
【補正対象項目名】００１１
【補正方法】変更
【補正の内容】
【００１１】
第１の発明に係るウェブ表示プログラム変換システムは、通信ネットワークに接続された変換情報サーバ装置を有するウェブ表示プログラム変換システムであって、該変換情報サーバ装置が、第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによって作成されたセグメントリストを保存する第１の記憶部と、前記第１のウェブ表示プログラムに記述された表示設定を第２の通信端末装置でウェブ表示を行わせるための第２のウェブ表示プログラムの表示設定に変更するために、前記セグメント毎に作成された変換条件を保存する第２の記憶部と、前記第２の通信装置に、前記セグメントリスト及び前記変換条件を用いて、前記第１のウェブ表示プログラムから前記第２のウェブ表示プログラムへの変換処理を実行させるための、変換プログラムを保存する第３の記憶部と、前記セグメントリスト、前記変換条件及び前記変換プログラムを前記通信ネットワークに送信する送信部とを備えることを特徴とする。
【手続補正３】
【補正対象書類名】明細書
【補正対象項目名】００１３
【補正方法】変更
【補正の内容】
【００１３】
第１の発明においては、前記変換情報サーバ装置は、前記第１、第２の通信端末装置で実行するための初期設定プログラムを保存する第４の記憶部を更に備え、前記初期設定プログラムは、通信端末装置が前記第１の通信端末装置であるのか或いは前記第２の通信端末装置であるのかを判断して、該通信端末装置が該第２の通信端末装置であった場合にのみ前記変換処理を行うためのプログラムであることが望ましい。
【手続補正４】
【補正対象書類名】明細書
【補正対象項目名】００１４
【補正方法】変更
【補正の内容】
【００１４】
第１の発明においては、前記表示情報サーバ装置から送信される前記第１のウェブ表示プログラムが、前記第１、第２の通信端末装置に前記変換情報サーバ装置へアクセスさせて前記初期設定プログラムを取得させるためのタグを含むことが望ましい。
【手続補正５】
【補正対象書類名】明細書
【補正対象項目名】００１９
【補正方法】変更
【補正の内容】
【００１９】
第１の発明においては、前記変換情報サーバ装置の前記送信部から送信される前記第１のウェブ表示プログラムが、前記第１、第２の通信端末装置に前記変換情報サーバ装置へ再びアクセスさせて前記初期設定プログラムを取得させるためのタグを含むことが望ましい。
【手続補正６】
【補正対象書類名】明細書
【補正対象項目名】００２３
【補正方法】変更
【補正の内容】
【００２３】
第２の発明に係るウェブ表示プログラム変換方法は、第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによってセグメントリストを作成するステップと、前記第１のウェブ表示プログラムに記述された表示設定を第２の通信端末装置でウェブ表示を行わせるため第２のウェブ表示プログラムの表示設定に変更するための変換条件を、前記セグメント毎に作成するステップと、前記第２の通信装置に、前記セグメントリスト及び前記変換条件を用いて、前記第１のウェブ表示プログラムから前記第２のウェブ表示プログラムへの変換処理を実行させるステップとを含むことを特徴とする。
【手続補正７】
【補正対象書類名】明細書
【補正対象項目名】００２４
【補正方法】変更
【補正の内容】
【００２４】
第３の発明に係るウェブ表示プログラム変換用プログラムは、第１の通信端末装置でウェブ表示を行わせるために作成された第１のウェブ表示プログラムを複数のセグメントに分割し、それぞれの該セグメントに含まれるそれぞれのタグに識別情報を付与し、これらの識別情報をリスト化することによってセグメントリストを作成する手順と、前記第１のウェブ表示プログラムに記述された表示設定を第２の通信端末装置でウェブ表示を行わせるため第２のウェブ表示プログラムの表示設定に変更するための変換条件を、前記セグメント毎に作成する手順と、前記第２の通信装置に、前記セグメントリスト及び前記変換条件を用いて、前記第１のウェブ表示プログラムから前記第２のウェブ表示プログラムへの変換処理を実行させる手順とをコンピュータに実行させることを特徴とする。
【国際調査報告】
2012120704.tif 000016
2012120704.tif 000017
2012120704.tif 000018
2012120704.tif 000019